(57)【要約】【課題】簡素な構成によって、他人による不正な使用を抑制する電子機器を提供する。【解決手段】電子機器１は、機能の使用が制限されるロック状態と機能を使用できる非ロック状態との間で遷移する。電子機器１は、タッチパネル２と、制御部とを備える。タッチパネル２は、複数の第１格子点１１０、及び第１格子点１１０と同じ色形を有する第２格子点１２０を含むパターン入力画面Ｇ１を表示する。制御部は、パターン入力画面Ｇ１上での被検知体の移動軌跡を取得し、移動軌跡が通過する第１格子点１１０を順次特定する。制御部は、特定した第１格子点１１０に基づいて入力パターン情報を取得する。制御部は、入力パターン情報が登録パターン情報と一致するか否かを判定する。入力パターン情報が登録パターン情報と一致すると制御部が判定すると、電子機器１は、ロック状態から非ロック状態に遷移する。【選択図】図２
2019040411.tif 000002
【特許請求の範囲】
【請求項１】
機能の使用が制限されるロック状態と前記機能を使用できる非ロック状態との間で遷移する電子機器であって、
複数の第１格子点、及び前記第１格子点と同じ色形を有する第２格子点を含むパターン入力画面を表示するタッチパネルと、
前記パターン入力画面上での被検知体の移動軌跡を取得し、前記移動軌跡が通過する前記第１格子点を順次特定する制御部と
を備え、
前記制御部は、前記移動軌跡が前記第１格子点及び前記第２格子点を通過する場合、前記移動軌跡が通過する前記第１格子点のみを特定し、前記移動軌跡が通過する前記第２格子点を特定せず、
前記制御部は、特定した前記第１格子点に基づいて入力パターン情報を取得し、
前記制御部は、前記入力パターン情報が登録パターン情報と一致するか否かを判定し、
前記入力パターン情報が前記登録パターン情報と一致すると前記制御部が判定すると、前記ロック状態から前記非ロック状態に遷移する、電子機器。
【請求項２】
前記パターン入力画面は、前記複数の第１格子点及び前記第２格子点を表示する格子点表示領域を有し、
前記格子点表示領域は、
前記複数の第１格子点を表示する第１格子点表示領域と、
前記第２格子点を表示する第２格子点表示領域と
を含み、
前記第２格子点表示領域は、前記第１格子点表示領域の外側に位置する、請求項１に記載の電子機器。
【請求項３】
前記制御部は、認証用格子点情報を通知し、
前記認証用格子点情報は、前記第１格子点表示領域の中央の位置を示す、請求項２に記載の電子機器。
【請求項４】
前記制御部は、認証用格子点情報を通知し、
前記認証用格子点情報は、前記格子点表示領域における前記第１格子点表示領域の位置を示す、請求項２に記載の電子機器。
【請求項５】
前記制御部は、前記認証用格子点情報を前記タッチパネルに表示させる、請求項３又は請求項４に記載の電子機器。
【請求項６】
前記タッチパネルは、前記認証用格子点情報を前記格子点表示領域の外側に表示する、請求項５に記載の電子機器。
【請求項７】
前記制御部は、前記移動軌跡が通過した前記第１格子点の位置と通過した順番とに基づいて前記入力パターン情報を取得する、請求項１〜請求項６のいずれか１項に記載の電子機器。
【請求項８】
機能の使用が制限されるロック状態と前記機能を使用できる非ロック状態との間で電子機器を遷移させる認証方法であって、
複数の第１格子点、及び前記第１格子点と同じ色形を有する第２格子点を含むパターン入力画面を表示する表示ステップと、
前記パターン入力画面上での被検知体の移動軌跡が通過する前記第１格子点のみを特定し、特定した前記第１格子点に基づいて入力パターン情報を取得する取得ステップと、
前記入力パターン情報が登録パターン情報と一致するか否かを判定し、前記入力パターン情報が前記登録パターン情報と一致すると判定すると、前記ロック状態から前記非ロック状態に前記電子機器を遷移させる判定ステップと
を含む、認証方法。
【発明の詳細な説明】
【技術分野】
【０００１】
本発明は、電子機器、及び認証方法に関する。
【背景技術】
【０００２】
特許文献１には、電子機器の一種であるスマートフォンが開示されている。特許文献１に開示のスマートフォンは、画面ロックを解除するユーザーの解除操作を受け付けるパターン入力画面を表示する。パターン入力画面は所定の図形パターンを表示する。特許文献１に開示のスマートフォンは、他人による不正な使用を抑制するために、図形パターンを変更する。詳しくは、特許文献１に開示のスマートフォンは、タッチパネル、複数のセンサー部、及びパターン制御部を備える。複数のセンサー部は、スマートフォンの筐体の側面に配置される。パターン制御部は、タッチパネルにパターン入力画面を表示させる。パターン制御部は、複数のセンサー部に対するユーザーの入力操作の仕方に応じて異なる図形パターンをパターン入力画面に表示させる。
【先行技術文献】
【特許文献】
【０００３】
【特許文献１】特開２０１４−５９７６７号公報
【発明の概要】
【発明が解決しようとする課題】
【０００４】
しかしながら、特許文献１の開示の技術では、他人による不正な使用を抑制するために複数のセンサー部を電子機器に別途設ける必要がある。
【０００５】
本発明は、上記課題に鑑み、簡素な構成によって、他人による不正な使用を抑制する電子機器及び認証方法を提供することを目的とする。
【課題を解決するための手段】
【０００６】
本発明に係る電子機器は、機能の使用が制限されるロック状態と前記機能を使用できる非ロック状態との間で遷移する。当該電子機器は、タッチパネルと、制御部とを備える。前記タッチパネルは、複数の第１格子点、及び前記第１格子点と同じ色形を有する第２格子点を含むパターン入力画面を表示する。前記制御部は、前記パターン入力画面上での被検知体の移動軌跡を取得し、前記移動軌跡が通過する前記第１格子点を順次特定する。前記制御部は、前記移動軌跡が前記第１格子点及び前記第２格子点を通過する場合、前記移動軌跡が通過する前記第１格子点のみを特定し、前記移動軌跡が通過する前記第２格子点を特定しない。前記制御部は、特定した前記第１格子点に基づいて入力パターン情報を取得する。前記制御部は、前記入力パターン情報が登録パターン情報と一致するか否かを判定する。前記入力パターン情報が前記登録パターン情報と一致すると前記制御部が判定すると、当該電子機器は、前記ロック状態から前記非ロック状態に遷移する。
【０００７】
本発明に係る認証方法は、機能の使用が制限されるロック状態と前記機能を使用できる非ロック状態との間で電子機器を遷移させる方法である。当該認証方法は表示ステップと、取得ステップと、判定ステップとを含む。前記表示ステップは、複数の第１格子点、及び前記第１格子点と同じ色形を有する第２格子点を含むパターン入力画面を表示する。前記取得ステップは、前記パターン入力画面上での被検知体の移動軌跡が通過する前記第１格子点のみを特定し、特定した前記第１格子点に基づいて入力パターン情報を取得する。前記判定ステップは、前記入力パターン情報が登録パターン情報と一致するか否かを判定し、前記入力パターン情報が前記登録パターン情報と一致すると判定すると、前記ロック状態から前記非ロック状態に前記電子機器を遷移させる。
【発明の効果】
【０００８】
本発明によれば、簡素な構成によって、他人による不正な使用を抑制することができる。
【図面の簡単な説明】
【０００９】
【図１】本発明の実施形態１に係る電子機器を示す図である。
【図２】本発明の実施形態１に係るパターン入力画面の一例を示す図である。
【図３】図２に示すパターン入力画面が有する格子点表示領域を示す図である。
【図４】本発明の実施形態１に係る電子機器の構成を示す図である。
【図５】本発明の実施形態１に係るパターン登録画面の一例を示す図である。
【図６】本発明の実施形態１に係る認証処理を示すフローチャートである。
【図７】本発明の実施形態１に係る入力パターン情報取得処理を示すフローチャートである。
【図８】本発明の実施形態１に係る判定処理を示すフローチャートである。
【図９】（ａ）及び（ｂ）は、本発明の実施形態１に係る入力パターン情報の入力操作の一例を示す図である。
【図１０】（ａ）及び（ｂ）は、本発明の実施形態１に係る入力パターン情報の入力操作の他例を示す図である。
【図１１】（ａ）及び（ｂ）は、本発明の実施形態１に係るパターン入力画面の他例を示す図である。
【図１２】（ａ）は、本発明の実施形態２に係るパターン入力画面の一例を示す図であり、（ｂ）は、本発明の実施形態２に係るパターン入力画面の他例を示す図である。
【図１３】（ａ）は、本発明の実施形態２に係る入力パターン情報の入力操作の一例を示す図であり、（ｂ）は、本発明の実施形態２に係る入力パターン情報の入力操作の他例を示す図である。
【図１４】（ａ）及び（ｂ）は、本発明の実施形態２に係る認証用格子点マークの他例を示す図である。
【発明を実施するための形態】
【００１０】
以下、図面を参照して、本発明に係る電子機器及び認証方法の実施形態について説明する。なお、図中、同一又は相当部分については同一の参照符号を付して説明を繰り返さない。
【００１１】
［実施形態１］
まず、図１を参照して、本発明の実施形態１に係る電子機器１について説明する。図１は、実施形態１に係る電子機器１を示す図である。本実施形態において、電子機器１は、スマートフォンのような携帯型端末である。
【００１２】
図１に示すように、電子機器１は、タッチパネル２を備える。タッチパネル２は、電子機器１に対するユーザーの指示を受け付ける。以下では、図１に示すタッチパネル２の短手方向の一方側をＸ１側とし、他方側をＸ２側として実施形態を説明する。また、タッチパネル２の長手方向の一方側をＹ１側とし、他方側をＹ２側として実施形態を説明する。また、タッチパネル２の短手方向をＸ軸方向とし、タッチパネル２の長手方向をＹ軸方向として実施形態を説明する。
【００１３】
本実施形態に係る電子機器１は、認証処理を実行する。認証処理が開始されると、タッチパネル２にパターン入力画面Ｇ１が表示される。認証処理は、電子機器１がロック状態である場合において、例えば、被検知体がタッチパネル２に触れたときに開始される。被検知体は、例えば、ユーザーの手指、又はタッチペンである。電子機器１がロック状態である場合、ユーザーは、電子機器１の機能を使用することができない。一方、認証処理が成功して電子機器１がロック状態から非ロック状態に遷移すると、ユーザーは、電子機器１の機能を使用することができる。電子機器１の機能は、例えば、電話機能である。なお、電子機器１は、電源状態がオフ状態からオン状態に遷移したときロック状態である。
【００１４】
次に、図２を参照して、本実施形態に係るパターン入力画面Ｇ１について説明する。図２は、実施形態１に係るパターン入力画面Ｇ１の一例を示す図である。
【００１５】
図２に示すように、パターン入力画面Ｇ１は、複数の格子点１００を含む。本実施形態では、パターン入力画面Ｇ１は、１５個の格子点１００を含む。１５個の格子点１００の各々の形状は、円形である。１５個の格子点１００の色形は、同一である。
【００１６】
複数の格子点１００は、格子状に配置される。図２に示す例において、１５個の格子点１００は、５行３列に配置される。複数の格子点１００は、複数の認証用格子点１１０及び少なくとも１つのダミー格子点１２０を含む。本実施形態において、１５個の格子点１００は、９個の認証用格子点１１０（第１格子点の一例）及び６個のダミー格子点１２０（第２格子点の一例）を含む。認証用格子点１１０及びダミー格子点１２０の数は、ユーザーによって予め設定されている。なお、理解を容易にするために、ダミー格子点１２０をハッチングで示しているが認証用格子点１１０及びダミー格子点１２０の色形は同一である。
【００１７】
各認証用格子点１１０は、認証処理の判定に使用される格子点である。各ダミー格子点１２０は、認証処理の判定に使用されないダミーの格子点である。
【００１８】
次に、図３を参照して、本実施形態に係るパターン入力画面Ｇ１について更に説明する。図３は、図２に示すパターン入力画面Ｇ１が有する格子点表示領域Ａを示す図である。図３では、理解を容易にするために、格子点表示領域Ａを１点鎖線で囲んでいる。
【００１９】
図３に示すように、パターン入力画面Ｇ１は、格子点表示領域Ａを有する。格子点表示領域Ａは、複数の格子点１００が表示される領域である。図３に示す例において、格子点表示領域Ａは、矩形形状であり、格子点表示領域Ａの外周は、複数の格子点１００のうち、最も外側に位置する格子点１００のそれぞれに接する。
【００２０】
また、格子点表示領域Ａは、少なくとも１つの第１格子点表示領域Ａ１と少なくとも１つの第２格子点表示領域Ａ２とを含む。図３に示す例において、格子点表示領域Ａは、第１格子点表示領域Ａ１と２つの第２格子点表示領域Ａ２とを含む。図３において、第１格子点表示領域Ａ１は、２点鎖線で囲まれる領域である。第２格子点表示領域Ａ２は、破線で囲まれる領域である。
【００２１】
第１格子点表示領域Ａ１は、認証用格子点１１０を含む。図３に示す例において、第１格子点表示領域Ａ１は、９個の認証用格子点１１０（第１認証用格子点１１１〜第９認証用格子点１１９）を含む。９個の認証用格子点１１０は、第１格子点表示領域Ａ１において、３行３列に配置される。以下、Ｘ１側の列の３個の認証用格子点１１０をＹ２側からＹ１側に向けて順に、第１認証用格子点１１１、第２認証用格子点１１２、及び第３認証用格子点１１３と記載する。また、真ん中の列における３つの認証用格子点１１０をＹ２側からＹ１側に向けて順に、第４認証用格子点１１４、第５認証用格子点１１５、及び第６認証用格子点１１６と記載する。更に、Ｘ２側の列における３つの認証用格子点１１０をＹ２側からＹ１側に向けて順に、第７認証用格子点１１７、第８認証用格子点１１８、及び第９認証用格子点１１９と記載する。
【００２２】
各第２格子点表示領域Ａ２は、ダミー格子点１２０を含む。図３に示す例において、各第２格子点表示領域Ａ２は、３個のダミー格子点１２０を含む。各第２格子点表示領域Ａ２において、３個のダミー格子点１２０は、１行３列に配置される。
【００２３】
図３に示す例において、各第２格子点表示領域Ａ２は、Ｙ軸方向において第１格子点表示領域Ａ１よりも外側に位置する。詳しくは、２つの第２格子点表示領域Ａ２のうち、一方の第２格子点表示領域Ａ２は、第１格子点表示領域Ａ１に対してＹ１側の外側に位置し、他方の第２格子点表示領域Ａ２は、第１格子点表示領域Ａ１に対してＹ２側の外側に位置する。以下、Ｙ２側の３個のダミー格子点１２０をＸ１側からＸ２側に向けて順に、第１ダミー格子点１２１、第２ダミー格子点１２２、及び第３ダミー格子点１２３と記載する。本実施形態において、格子点表示領域Ａにおける第１格子点表示領域Ａ１及び第２格子点表示領域Ａ２の範囲は、ユーザーが予め指定する。
【００２４】
次に、図４を参照して、本実施形態に係る電子機器１の構成について説明する。図４は、実施形態１に係る電子機器１の構成を示す図である。
【００２５】
図４に示すように、電子機器１は、タッチパネル２に加え、制御部３及び記憶装置４を備える。
【００２６】
タッチパネル２は、ディスプレー２１及びタッチセンサー２２を含む。ディスプレー２１は、例えば、液晶ディスプレー又は有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）を含む。タッチセンサー２２は、例えば、抵抗膜方式のタッチセンサーを含む。
【００２７】
ディスプレー２１は、制御部３による各種処理の結果等を表示する。本実施形態において、ディスプレー２１は、図２及び図３を参照して説明したパターン入力画面Ｇ１を表示する。
【００２８】
タッチセンサー２２は、被検知体によるタッチを検知すると、タッチを検知した位置を示す検知信号を生成する。
【００２９】
制御部３は、ＣＰＵ（Ｃｅｎｔｒａｌ  Ｐｒｏｃｅｓｓｉｎｇ  Ｕｎｉｔ）のようなプロセッサーによって構成される。制御部３は、記憶装置４に記憶された制御プログラムを実行することによって、電子機器１の各部の動作を制御する。本実施形態において、制御部３は、図１を参照して説明した認証処理を実行する。
【００３０】
記憶装置４は、典型的には、半導体メモリーを含む。具体的には、記憶装置４は、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）によって構成される。記憶装置４は、電子機器１の各部の動作を制御するための制御プログラムを記憶する。制御プログラムは、制御部３によって実行される。なお、記憶装置４は、ＨＤＤ（Ｈａｒｄ  Ｄｉｓｋ  Ｄｒｉｖｅ）及びＳＳＤ（Ｓｏｌｉｄ  Ｓｔａｔｅ  Ｄｒｉｖｅ）のようなストレージデバイスを含んでもよい。
【００３１】
記憶装置４は、登録パターンを示す登録パターン情報４１を記憶する。登録パターン情報４１は、ユーザーによって予め設定されて記憶装置４に記憶される。登録パターン情報４１は、図２及び図３を参照して説明した複数の認証用格子点１１０のうち、被検知体によって描かれる移動軌跡が通過（タッチ）すべき認証用格子点１１０を規定する登録格子点情報と、それらの認証用格子点１１０を移動軌跡が通過すべき順番を規定する登録順番情報とを含む。
【００３２】
次に、図５を参照して、本実施形態に係る登録パターン情報４１を設定するためのパターン登録画面Ｇ２について説明する。図５は、実施形態１に係るパターン登録画面Ｇ２の一例を示す図である。なお、図５では、ユーザーが自身の手指によって行う登録パターンの設定操作を例示している。
【００３３】
パターン登録画面Ｇ２は、図２及び図３を参照して説明した第１格子点表示領域Ａ１に含まれる複数の認証用格子点１１０に対応する複数の認証用格子点１１０を含む。本実施形態において、パターン登録画面Ｇ２は、３行３列に配置された９個の認証用格子点１１０を含む。
【００３４】
図５に示すように、ユーザーは、タッチパネル２（タッチセンサー２２）に触れたまま、複数の認証用格子点１１０のうち、少なくとも２つ以上の認証用格子点１１０を通過するように、手指を移動させて登録移動軌跡Ｍを描くことにより、登録パターン情報４１を設定することができる。図５に示す例では、登録移動軌跡Ｍは、第１認証用格子点１１１、第２認証用格子点１１２、第５認証用格子点１１５、及び第４認証用格子点１１４をこの順で通過する。記憶装置４は、登録格子点情報と登録順番情報とを関連付けて記憶する。図５に示す例では、登録格子点情報は、第１認証用格子点１１１、第２認証用格子点１１２、第５認証用格子点１１５、及び第４認証用格子点１１４を示し、登録順番情報は、第１認証用格子点１１１、第２認証用格子点１１２、第５認証用格子点１１５、及び第４認証用格子点１１４を登録移動軌跡Ｍが通過する順番を示す。
【００３５】
次に、図４及び図６を参照して、本実施形態に係る認証処理について説明する。図６は、実施形態１に係る認証処理を示すフローチャートである。認証処理は、電子機器１がロック状態である場合において、例えば、制御部３がタッチセンサー２２から検知信号を受信すると開始される。
【００３６】
図６に示すように、制御部３は、入力画面表示処理を実行する（ステップＳ１０２）。詳しくは、制御部３は、ディスプレー２１にパターン入力画面Ｇ１を表示させる。次いで、制御部３は、入力パターン情報取得処理を実行する（ステップＳ１０４）。詳しくは、制御部３は、タッチセンサー２２から受信した検知信号に基づいて、図２及び図３を参照して説明したパターン入力画面Ｇ１上で移動する被検知体の位置を取得し、被検知体が通過する認証用格子点１１０を順次特定する。本実施形態において、制御部３は、被検知体が通過する位置に表示されている認証用格子点１１０を順次特定する。具体的には、制御部３は、タッチセンサー２２から送信される検知信号が示すＸ軸方向及びＹ軸方向の位置と一致する位置に表示される認証用格子点１１０を順次特定する。換言すると、制御部３は、被検知体の入力移動軌跡（移動軌跡の一例）が通過する認証用格子点１１０を順次特定する。制御部３は、入力移動軌跡が通過する認証用格子点１１０を順次特定することにより、入力パターンを示す入力パターン情報を取得する。詳しくは、制御部３は、認証用格子点１１０を特定する度に、特定した認証用格子点１１０を示す入力格子点情報と、特定した認証用格子点１１０を被検知体（入力移動軌跡）が通過した順番を示す入力順番情報とを取得し、取得した入力格子点情報と入力順番情報とに基づいて入力パターン情報を取得する。
【００３７】
制御部３は、入力パターン情報を取得すると、判定処理を実行して（ステップＳ１０６）、認証処理を終了する。
【００３８】
次に、図４、図６、及び図７を参照して本実施形態に係る入力パターン情報取得処理（図６のステップＳ１０４）について説明する。図７は、実施形態１に係る入力パターン情報取得処理を示すフローチャートである。入力パターン情報取得処理は、図２を参照して説明したパターン入力画面Ｇ１がディスプレー２１に表示されると開始される。
【００３９】
制御部３は、タッチセンサー２２から検知信号を受信したか否かを判定する（ステップＳ２０２）。制御部３がタッチセンサー２２から検知信号を受信していないと判定すると（ステップＳ２０２：Ｎｏ）、入力パターン情報取得処理は、ステップＳ２０２へ戻る。一方、制御部３は、タッチセンサー２２から検知信号を受信したと判定すると（ステップＳ２０２：Ｙｅｓ）、検知信号に基づいて、被検知体が通過する認証用格子点１１０を特定し（ステップＳ２０４）、入力格子点情報と、入力順番情報とを取得する（ステップＳ２０６）。制御部３は、入力格子点情報と、入力順番情報とを一時的に記憶装置４に記憶させる。なお、制御部３は、被検知体（入力移動軌跡）がダミー格子点１２０を通過しても、ダミー格子点１２０を特定しない。換言すると、制御部３は、被検知体（入力移動軌跡）が認証用格子点１１０及びダミー格子点１２０を通過する場合、被検知体（入力移動軌跡）が通過する認証用格子点１１０のみを特定し、被検知体（入力移動軌跡）が通過するダミー格子点１２０は特定しない。
【００４０】
次いで、制御部３は、タッチ操作が終了したか否かを判定する（ステップＳ２０８）。詳しくは、制御部３は、タッチセンサー２２からの検知信号の受信の有無によってタッチ操作が終了したか否かを判定する。タッチ操作が終了していないと制御部３が判定すると（ステップＳ２０８：Ｎｏ）、入力パターン情報取得処理は、ステップＳ２０４へ戻る。一方、制御部３は、タッチ操作が終了したと判定すると（ステップＳ２０８：Ｙｅｓ）、取得した入力格子点情報と入力順番情報とに基づいて入力パターン情報を取得して（ステップＳ２１０）、図６に示すステップＳ１０６の処理に戻る。
【００４１】
次に、図４、図６及び図８を参照して、本実施形態に係る判定処理（図６のステップＳ１０６）について説明する。図８は、実施形態１に係る判定処理を示すフローチャートである。判定処理は、制御部３が入力パターン情報を取得すると、開始される。
【００４２】
図８に示すように、制御部３は、入力パターン情報が登録パターン情報４１と一致するか否かを判定する（ステップＳ３０２）。制御部３は、入力パターン情報が登録パターン情報４１と一致すると判定すると（ステップＳ３０２：Ｙｅｓ）、電子機器１の状態をロック状態からロック解除状態（非ロック状態）に遷移させて（ステップＳ３０４）、図６に示す認証処理を終了する。一方、制御部３は、入力パターン情報が登録パターン情報４１と一致しないと判定すると（ステップＳ３０２：Ｎｏ）、電子機器１の状態をロック状態のまま維持して、図６に示す認証処理を終了する。
【００４３】
次に、図４、図５、及び図９（ａ）〜図１０（ｂ）を参照して、本実施形態に係る入力パターン情報の入力操作について説明する。なお、図９（ａ）〜図１０（ｂ）では、ユーザーが自身の手指によって行う入力パターン情報の入力操作を例示している。
【００４４】
図９（ａ）及び図９（ｂ）は、実施形態１に係る入力パターン情報の入力操作の一例を示す図である。
【００４５】
図９（ａ）及び図９（ｂ）に示すように、ユーザーの手指がタッチパネル２（タッチセンサー２２）に触れたまま第１位置Ｐ１から第２位置Ｐ２まで第１入力移動軌跡Ｔ１を描くように移動すると、制御部３は、第１入力移動軌跡Ｔ１（手指）が通過する認証用格子点１１０を順次特定する。
【００４６】
制御部３は、ユーザーの手指がタッチセンサー２２から離れ、タッチ操作が終了したと判定すると、入力パターン情報を取得する。入力パターン情報は、特定した認証用格子点１１０を示す入力格子点情報と、それらの認証用格子点１１０が特定された順番を示す入力順番情報とを含む。
【００４７】
図９（ａ）及び図９（ｂ）に示す例では、第１入力移動軌跡Ｔ１は、第１認証用格子点１１１、第２認証用格子点１１２、第５認証用格子点１１５、及び第４認証用格子点１１４をこの順で通過する。したがって、制御部３は、第１認証用格子点１１１、第２認証用格子点１１２、第５認証用格子点１１５、及び第４認証用格子点１１４をこの順で特定する。よって、入力パターン情報は、第１認証用格子点１１１、第２認証用格子点１１２、第５認証用格子点１１５、及び第４認証用格子点１１４を示す入力格子点情報と、それらの認証用格子点１１０が特定された順番を示す入力順番情報とを含む。
【００４８】
図９（ａ）及び図９（ｂ）に示す入力操作によって入力された入力パターン情報は、図５を参照して説明した登録パターン情報４１と一致する。詳しくは、入力パターン情報に含まれる入力格子点情報と、登録パターン情報４１に含まれる登録格子点情報とが一致し、且つ、入力パターン情報に含まれる入力順番情報と登録パターン情報４１に含まれる登録順番情報とが一致する。よって、制御部３は、入力パターン情報が登録パターン情報４１と一致すると判定して、電子機器１の状態をロック状態から非ロック状態に遷移させる。
【００４９】
次に、図４、図５、及び図９（ａ）〜図１０（ｂ）を参照して、本実施形態に係る入力パターン情報の入力操作の他例について説明する。図１０（ａ）及び図１０（ｂ）は、実施形態１に係る入力パターン情報の入力操作の他例を示す図である。詳しくは、図１０（ａ）及び図１０（ｂ）に示す入力操作は、図９（ａ）及び図９（ｂ）を参照して説明した入力操作と描く入力移動軌跡が異なる。
【００５０】
図１０（ａ）及び図１０（ｂ）に示すように、ユーザーの手指がタッチパネル２（タッチセンサー２２）に触れたまま、第３位置Ｐ３から第４位置Ｐ４まで第２入力移動軌跡Ｔ２を描くように移動すると、制御部３は、第２入力移動軌跡Ｔ２（手指）が通過する認証用格子点１１０を順次特定する。
【００５１】
制御部３は、タッチ操作が終了したと判定すると、入力パターン情報を取得する。
【００５２】
図１０（ａ）及び図１０（ｂ）に示す例では、第２入力移動軌跡Ｔ２は、第１ダミー格子点１２１、第１認証用格子点１１１、第２認証用格子点１１２、第５認証用格子点１１５、第４認証用格子点１１４、第２ダミー格子点１２２、及び第３ダミー格子点１２３をこの順で通過する。図７を参照して説明したように、制御部３は、第２入力移動軌跡Ｔ２が通過する格子点１００に認証用格子点１１０及びダミー格子点１２０が含まれる場合、ダミー格子点１２０を特定せず、認証用格子点１１０のみを特定する。したがって、制御部３は、第１認証用格子点１１１、第２認証用格子点１１２、第５認証用格子点１１５、及び第４認証用格子点１１４をこの順で特定する。よって、入力パターン情報は、第１認証用格子点１１１、第２認証用格子点１１２、第５認証用格子点１１５、及び第４認証用格子点１１４を示す入力格子点情報と、それらが特定された順番を示す入力順番情報とを含む。
【００５３】
図１０（ａ）及び図１０（ｂ）に示す入力操作によって入力された入力パターン情報は、図９（ａ）及び図９（ｂ）に示す入力操作によって入力された入力パターン情報と同様に、図５を参照して説明した登録パターン情報４１と一致する。詳しくは、入力パターン情報に含まれる入力格子点情報と、登録パターン情報４１に含まれる登録格子点情報とが一致し、且つ、入力パターン情報に含まれる入力順番情報と登録パターン情報４１に含まれる登録順番情報とが一致する。よって、制御部３は、入力パターン情報が登録パターン情報４１と一致すると判定し、電子機器１の状態をロック状態から非ロック状態に遷移させる。
【００５４】
また、図１０（ａ）及び図１０（ｂ）に示す入力操作によって入力された入力パターン情報は、図９（ａ）及び図９（ｂ）に示す入力操作によって入力された入力パターン情報と一致する。したがって、ユーザーは、ダミー格子点１２０を含むように手指を動かすことにより、図５を参照して説明した登録移動軌跡Ｍと異なる入力移動軌跡を描いて認証処理を成功させることができる。
【００５５】
以上、実施形態１について説明した。本実施形態によれば、電子機器１は、ダミー格子点１２０を含むパターン入力画面Ｇ１をディスプレー２１に表示する。ダミー格子点１２０は、認証処理の判定に使用されないダミーの格子点１００である。ユーザーは、ダミー格子点１２０を通過するように手指を動かすことにより、認証処理を成功させることができる。これにより、ユーザーの手指の動作を盗み見た他人に登録パターンを知得されることを抑制できる。したがって、簡素な構成によって、他人による不正な電子機器１の使用を抑制することができる。
【００５６】
なお、本実施形態において、第２格子点表示領域Ａ２が、Ｙ軸方向において第１格子点表示領域Ａ１よりも外側に配置される場合を例に説明したが、格子点表示領域Ａの範囲内である限り、第２格子点表示領域Ａ２の位置は特に限定されない。図１１（ａ）及び図１１（ｂ）は、実施形態１に係るパターン入力画面Ｇ１の他例を示す図である。例えば、図１１（ａ）に示すように、第２格子点表示領域Ａ２は、Ｘ軸方向において第１格子点表示領域Ａ１よりも外側に配置されてもよい。あるいは、図１１（ｂ）に示すように、第２格子点表示領域Ａ２は、第１格子点表示領域Ａ１に対してＹ１側の外側及びＸ２側の外側に配置されてもよい。
【００５７】
また、第１格子点表示領域Ａ１は、認証処理の開始時にユーザーが指定してもよい。具体的には、ユーザーは、パターン入力画面Ｇ１がタッチパネル２に表示された後に、パターン入力画面Ｇ１に含まれる複数の格子点１００の中から認証用格子点１１０に設定する格子点１００を囲むように、手指をタッチパネル２上で移動させることによって、第１格子点表示領域Ａ１を指定してもよい。認証処理の開始時に認証用格子点１１０をユーザーが設定するにより、他人に登録パターン情報４１が知得されることを更に抑制することができる。よって、他人による不正な使用を更に抑制することができる。なお、ユーザーは、認証処理の開始時（パターン入力画面Ｇ１がディスプレー２１に表示される度）に毎回、第１格子点表示領域Ａ１を指定してもよい。これにより、他人による不正な使用を更に抑制することができる。
【００５８】
また、本実施形態において、格子点表示領域Ａが１つの第１格子点表示領域Ａ１を有する場合を例に説明したが、格子点表示領域Ａは、２つ以上の第１格子点表示領域Ａ１を有してもよい。
【００５９】
また、本実施形態において、ダミー格子点１２０の数が複数である構成を説明したが、ダミー格子点１２０の数は、１個であってもよい。
【００６０】
［実施形態２］
続いて、図１２（ａ）〜図１４（ｂ）を参照して、本発明の実施形態２について説明する。実施形態２では、第１格子点表示領域Ａ１の位置及び第２格子点表示領域Ａ２の位置が制御部３によってランダムに変更される点が実施形態１と異なる。以下、実施形態２について実施形態１と異なる事項について説明し、実施形態１と重複する部分についての説明は割愛する。
【００６１】
図１２（ａ）は、実施形態２に係るパターン入力画面Ｇ１の一例を示す図である。図１２（ｂ）は、実施形態２に係るパターン入力画面Ｇ１の他例を示す図である。詳しくは、図１２（ａ）に示すパターン入力画面Ｇ１は、前回の認証処理において、ディスプレー２１に表示されたパターン入力画面Ｇ１を示し、図１２（ｂ）に示すパターン入力画面Ｇ１は、今回の認証処理においてディスプレー２１に表示されるパターン入力画面Ｇ１を示す。本実施形態において、ユーザーは、認証用格子点１１０の数を９個に予め設定し、ダミー格子点１２０の数を６個に予め設定している。また、ユーザーは、認証用格子点１１０が３行３列に配置されるように、第１格子点表示領域Ａ１を予め設定している。
【００６２】
図１２（ａ）及び図１２（ｂ）に示すように、図１２（ａ）に示すパターン入力画面Ｇ１と図１２（ｂ）に示すパターン入力画面Ｇ１とでは格子点表示領域Ａにおける第１格子点表示領域Ａ１の位置及び第２格子点表示領域Ａ２の位置が異なる。制御部３は、タッチパネル２にパターン入力画面Ｇ１を表示する度に、格子点表示領域Ａにおける第１格子点表示領域Ａ１の位置及び第２格子点表示領域Ａ２の位置をランダムに変化させる。
【００６３】
また、図１２（ａ）及び図１２（ｂ）に示すように、パターン入力画面Ｇ１は、認証用格子点マーク１３０を更に含む。認証用格子点マーク１３０は、認証格子点情報の一例である。本実施形態において、認証用格子点マーク１３０は、格子点表示領域Ａの外側に表示される。
【００６４】
認証用格子点マーク１３０は、第１格子点表示領域Ａ１（認証用格子点１１０）の位置をユーザーに通知する。認証用格子点マーク１３０は、ユーザーが予め定めた規則にしたがって、格子点表示領域Ａにおける第１格子点表示領域Ａ１の位置を示すようにパターン入力画面Ｇ１に表示される。図１２（ａ）及び図１２（ｂ）に示す例では、認証用格子点マーク１３０は、第１格子点表示領域Ａ１の中央の位置を示す。なお、図１２（ａ）及び図１２（ｂ）では、理解を容易にするために、認証用格子点マーク１３０をダブルハッチングで示しているが、認証用格子点マーク１３０は、格子点１００と色形が同一である。
【００６５】
ユーザーは、認証処理の際に、認証用格子点マーク１３０に基づいて、格子点表示領域Ａにおける第１格子点表示領域Ａ１の位置（認証用格子点１１０の位置）を知ることができる。
【００６６】
次に、図１３（ａ）及び図１３（ｂ）を参照して、実施形態２に係る入力パターン情報の入力操作について説明する。図１３（ａ）は、実施形態２に係る入力パターン情報の入力操作の一例を示す図である。
【００６７】
図１３（ａ）に示すように、ユーザーの手指がタッチパネル２に触れたまま第５位置Ｐ５から第６位置Ｐ６まで第３入力移動軌跡Ｔ３を描くように移動すると、制御部３は、第３入力移動軌跡Ｔ３が通過する認証用格子点１１０を順次特定する。
【００６８】
図１３（ａ）に示す例において、第３入力移動軌跡Ｔ３は、第１認証用格子点１１１、第２認証用格子点１１２、第５認証用格子点１１５、及び第４認証用格子点１１４をこの順に通過する。したがって、制御部３は、第１認証用格子点１１１、第２認証用格子点１１２、第５認証用格子点１１５、及び第４認証用格子点１１４をこの順で特定する。よって、入力パターン情報は、第１認証用格子点１１１、第２認証用格子点１１２、第５認証用格子点１１５、及び第４認証用格子点１１４を示す入力格子点情報と、それらが特定された順番を示す入力順番情報とを含む。
【００６９】
図１３（ｂ）は、実施形態２に係る入力パターン情報の入力操作の他例を示す図である。詳しくは、図１３（ｂ）に示す入力操作は、図１３（ａ）を参照して説明した入力操作と描く入力移動軌跡が異なる。
【００７０】
図１３（ｂ）に示すように、ユーザーの手指がタッチパネル２に触れたまま第７位置Ｐ７から第８位置Ｐ８まで第４入力移動軌跡Ｔ４を描くように移動すると、制御部３は、第４入力移動軌跡Ｔ４が通過する認証用格子点１１０を順次特定する。
【００７１】
図１３（ｂ）に示す例において、第４入力移動軌跡Ｔ４は、第１認証用格子点１１１、第２認証用格子点１１２、第５認証用格子点１１５、及び第４認証用格子点１１４をこの順に通過する。したがって、制御部３は、第１認証用格子点１１１、第２認証用格子点１１２、第５認証用格子点１１５、及び第４認証用格子点１１４をこの順で特定する。よって、入力パターン情報は、第１認証用格子点１１１、第２認証用格子点１１２、第５認証用格子点１１５、及び第４認証用格子点１１４を示す入力格子点情報と、それらが特定された順番を示す入力順番情報とを含む。
【００７２】
図１３（ａ）を参照して説明した入力パターン情報と、図１３（ｂ）を参照して説明した入力パターン情報とは一致する。一方、図１３（ａ）及び図１３（ｂ）に示す例では、入力パターン情報を入力する位置が変化する。したがって、ユーザーは、入力パターン情報を入力する際にダミー格子点１２０を通過するような動作をしなくとも入力動作（入力操作を行う位置）を変化させることができる。よって、登録パターン情報４１が他人に知得されることが抑制される。
【００７３】
以上、実施形態２について説明した。本実施形態によれば、制御部３は、パターン入力画面Ｇ１を表示する度に、認証用格子点１１０の位置をランダムに変化させる。したがって、他人による不正な電子機器１の使用を抑制することができる。
【００７４】
なお、本実施形態において、ユーザーは、ダミー格子点１２０を使用せずに入力パターン情報の入力操作を行ったが、ユーザーは、ダミー格子点１２０を使用して入力パターン情報の入力操作を行ってもよい。これにより、ユーザーの手指の動作をより複雑に見せることができる。この結果、登録パターン情報４１が他人に知得されることを更に抑制することができる。したがって、他人による電子機器１の不正な使用をより抑制することができる。
【００７５】
また、本実施形態によれば、認証用格子点マーク１３０がディスプレー２１に表示される。認証用格子点マーク１３０は、ユーザーが予め定めた規則にしたがって、格子点表示領域Ａにおける第１格子点表示領域Ａ１の位置をユーザーに通知する。換言すると、ユーザーのみが複数の格子点１００の中から認証用格子点１１０の位置を知ることができる。この結果、登録パターン情報４１が他人に知得されることを抑制することができる。
【００７６】
なお、本実施形態において、認証用格子点マーク１３０が格子点１００と同一の色形を有する例に説明したが、認証用格子点マーク１３０は、ユーザーに認証用格子点１１０の位置を通知できればよい。図１４（ａ）及び図１４（ｂ）は、実施形態２に係る認証用格子点マーク１３０の他例を示す図である。図１４（ａ）及び図１４（ｂ）に示すように、認証用格子点マーク１３０は、格子点表示領域Ａにおいて認証用格子点１１０が配置される領域（第１格子点表示領域Ａ１）を示す図形であってもよい。
【００７７】
また、本実施形態において、認証格子点情報をユーザーに通知する構成として、認証用格子点マーク１３０をディスプレー２１に表示する場合を例に説明したが、認証格子点情報をユーザーに通知する構成は、第１格子点表示領域Ａ１の位置をユーザーに通知し得る構成である限り、特定に限定されない。例えば、制御部３は、パターン入力画面Ｇ１の表示が開始されてから所定の時間（例えば、１秒間）、第１格子点表示領域Ａ１を光らせることにより、認証格子点情報をユーザーに通知してもよい。あるいは、制御部３は、電子機器１が予め備えるＬＥＤランプ等を使用することによって認証用格子点情報をユーザーに通知し得る。
【００７８】
また、本実施形態において、認証用格子点１１０の数及びダミー格子点１２０の数が予め設定されている場合を例に説明したが、認証用格子点１１０の数及びダミー格子点１２０の数は、ディスプレー２１にパターン入力画面Ｇ１が表示される度に変更されてもよい。
【００７９】
以上、本発明の実施形態について、図面（図１〜図１４）を参照しながら説明した。但し、本発明は、上記の実施形態に限られるものではなく、その要旨を逸脱しない範囲で種々の態様において実施することが可能である。また、上記の実施形態で示す数値や形状は、一例であって特に限定されるものではなく、本発明の効果から実質的に逸脱しない範囲で種々の変更が可能である。
【００８０】
例えば、本発明の実施形態では、各格子点１００の形状が、円形形状であったが、各格子点１００の形状は、円形形状に限定されない、各格子点１００の形状は、例えば、矩形形状であってもよい。
【００８１】
また、本発明の実施形態では、電子機器１がスマートフォンである場合を例に説明したが、本発明はこれに限定されない。本発明は、例えば、タブレット型パーソナルコンピューターのような電子機器にも適用可能である。
【産業上の利用可能性】
【００８２】
本発明は、電子機器の分野に有用である。
【符号の説明】
【００８３】
１        電子機器
３        制御部
２１      ディスプレー
２２      タッチセンサー
【図１】
2019040411.tif 000003
【図２】
2019040411.tif 000004
【図３】
2019040411.tif 000005
【図４】
2019040411.tif 000006
【図５】
2019040411.tif 000007
【図６】
2019040411.tif 000008
【図７】
2019040411.tif 000009
【図８】
2019040411.tif 000010
【図９】
2019040411.tif 000011
【図１０】
2019040411.tif 000012
【図１１】
2019040411.tif 000013
【図１２】
2019040411.tif 000014
【図１３】
2019040411.tif 000015
【図１４】
2019040411.tif 000016